(57)【要約】【課題】  構造体としての強度が強く、運搬性、収納性等に優れ、施工作業性に優れた雨水貯留構造体を提供する。【解決手段】  地盤中に、複数の骨格ブロックを水平方向に並設したブロック層を複数段積層することによって骨格構造体２を構成し、この骨格構造体２の各骨格ブロックによって形成されるスペースに雨水を貯留する雨水貯留構造体１で、骨格ブロックは、基板２０と、この基板２０の上面に間隔を開けて立設された複数の錐形枠体２１と、基板２０の下面に設けられた嵌合溝とを有する錐体フルサイズブロック１１及び錐体ハーフサイズブロック１２であり、上下方向に隣接される錐体フルサイズブロック１１及び錐体ハーフサイズブロック１２同士は、下方の錐体フルサイズブロック１１及び錐体ハーフサイズブロック１２の錐形枠体２１の頂部が上方の錐体フルサイズブロック１１及び錐体ハーフサイズブロック１２の各嵌合溝に嵌合された状態で積層する。【選択図】      図２
2007077574.tif 000002
【特許請求の範囲】
【請求項１】
地盤中に、複数の骨格ブロックを水平方向に並設したブロック層を複数段積層することによって骨格構造体を構成し、この骨格構造体の各骨格ブロックによって形成されるスペースに雨水を貯留する雨水貯留構造体において、
前記骨格ブロックは、基板と、この基板の上面に間隔を開けて立設された複数の錐形枠体と、前記基板の下面に設けられた嵌合溝とを有する錐体ブロックであり、
上下方向に隣接される該錐体ブロック同士は、下方の前記錐体ブロックの前記錐形枠体の頂部が上方の前記錐体ブロックの前記各嵌合溝に嵌合されることによって積層されたことを特徴とする雨水貯留構造体。
【請求項２】
請求項１記載の雨水貯留構造体であって、
前記各錐形枠体の位置と前記各嵌合溝の位置は、互いに１／２間隔だけオフセットした位置に設定されたことを特徴とする雨水貯留構造体。
【請求項３】
請求項１又は請求項２記載の雨水貯留構造体であって、
前記錐体ブロックに対し幅寸法の異なる補助錐体ブロックを有し、前記錐体ブロックの各層における水平方向の配列に補助錐体ブロックを選択的に使用して、上下方向に隣接する前記錐体ブロック同士の位置をオフセットさせたことを特徴とする雨水貯留構造体。
【請求項４】
請求項１〜請求項３のいずれか１項記載の雨水貯留構造体であって、
前記錐形枠体は、角錐形の枠体であることを特徴とする雨水貯留構造体。
【請求項５】
請求項１〜請求項３のいずれか１項記載の雨水貯留構造体であって、
前記錐形枠体は、円錐形の枠体であることを特徴とする雨水貯留構造体。
【発明の詳細な説明】
【技術分野】
【０００１】
本発明は、雨水を一時的に貯留する雨水貯留構造体に関する。
【背景技術】
【０００２】
従来から、激しい降雨時に河川への急激な雨水流入を抑制及び調整するために雨水貯留構造体を設置することが知られている。雨水貯留構造体の従来例としては、特許文献１に開示されたものがある。
【０００３】
この雨水貯留構造体１００は、図１９に示すように、地盤に設けられた設置穴１０１に骨格構造体１０２を備えている。この骨格構造体１０２は、水平方向に並べて形成された骨格ブロック１０３の層を複数段積層することによって構成されている。
【０００４】
各骨格ブロック１０３は、図２０に詳しく示すように、頂部１０３ａと谷部１０３ｂが交互に繰り返す波形形状であり、各頂部１０３ａと各谷部１０３ｂには所定の間隔で嵌合凹部１０３ｃがそれぞれ形成されている。骨格ブロック１０３のブロック層は、一層置きに骨格ブロック１０３の配列向きを９０度回転した位置で積層されている。そして、下方の骨格ブロック１０３の頂部１０３ａの嵌合凹部１０３ｃに上方の骨格ブロック１０３の谷部１０３ｂの嵌合凹部１０３ｃが入り込み、上下方向に隣接された骨格ブロック１０３，１０３同士が互いに位置決めされている。尚、図２０において、１０４，１０５は上板と下板である。
【０００５】
上記構成において、雨水が流れ込むと、雨水が複数の骨格構造体１０１の各骨格ブロック１０３内に形成されたスペースに貯留される。そして、雨水貯留構造体１００は、複数の骨格ブロック１０３が組み付けされて構成されているため、構造体として強固である。又、複数の骨格ブロック１０３を同じ向きで積層すると、互いの頂部１０３ａと谷部１０３ｂが密着してコンパクトに積層できるため、運搬性、収納性などに優れている。
【特許文献１】特許第２９０１９５９号公報
【発明の開示】
【発明が解決しようとする課題】
【０００６】
しかしながら、前記従来の雨水貯留構造体１００では、骨格構造体１０２を組み立てる際に、骨格ブロック１０３の層を重ねる度に９０度回転して積層しなければならないため、施工作業性が悪いという問題があった。
【０００７】
そこで、本発明は、前記した課題を解決すべくなされたものであり、構造体としての強度が強く、運搬性、収納性等に優れ、しかも、施工作業性が良い雨水貯留構造体を提供することを目的とする。
【課題を解決するための手段】
【０００８】
請求項１の発明は、地盤中に、複数の骨格ブロックを水平方向に並設したブロック層を複数段積層することによって骨格構造体を構成し、この骨格構造体の各骨格ブロックによって形成されるスペースに雨水を貯留する雨水貯留構造体において、前記骨格ブロックは、基板と、この基板の上面に間隔を開けて立設された複数の錐形枠体と、前記基板の下面に設けられた嵌合溝とを有する錐体ブロックであり、上下方向に隣接される前記錐体ブロック同士は、下方の前記錐体ブロックの前記錐形枠体の頂部が上方の前記錐体ブロックの前記各嵌合溝に嵌合されることによって積層されたことを特徴とする。
【０００９】
請求項２の発明は、請求項１記載の雨水貯留構造体であって、前記各錐形枠体の位置と前記各嵌合溝の位置は、互いに１／２間隔だけオフセットした位置に設定されたことを特徴とする。
【００１０】
請求項３の発明は、請求項１又は請求項２記載の雨水貯留構造体であって、前記錐体ブロックに対し幅寸法の異なる補助錐体ブロックを有し、前記錐体ブロックの各層における水平方向の配列に補助錐体ブロックを選択的に使用して、上下方向に隣接する前記錐体ブロック同士の位置をオフセットさせたことを特徴とする。
【００１１】
請求項４の発明は、請求項１〜請求項３記載の雨水貯留構造体であって、前記錐形枠体は、角錐形の枠体であることを特徴とする。
【００１２】
請求項５の発明は、請求項１〜請求項３記載の雨水貯留構造体であって、前記錐形枠体は、円錐形の枠体であることを特徴とする。
【発明の効果】
【００１３】
以上説明したように、請求項１の発明によれば、複数の錐体ブロックが水平方向及び垂直方向に組み付けられた構造体であるため、強度的に強いものとなる。又、複数の錐体ブロックは互いの錐形枠体を積み重ねるように積層できるためコンパクトに積層できる。その上、錐体ブロックを積層して骨格構造体２を施工するに際して、各層の錐体ブロックは同じ方向で積層すれば良い。以上より、構造体としての強度が強く、運搬性、収納性等に優れ、しかも、施工作業性が良い。
【００１４】
請求項２の発明によれば、請求項１の発明の効果に加え、上下方向に隣接する各層の錐形枠体の位置がそれぞれオフセットした位置に配置されるため、構造体としての強度が更に向上する。
【００１５】
請求項３の発明によれば、請求項１又は請求項２の発明の効果に加え、上下に隣接する層の各錐体ブロックの境界位置が相違するため、構造体としての強度が更に向上する。
【００１６】
請求項４の発明によれば、請求項１〜請求項３の発明の効果に加え、円錐形の枠体とした場合に較べて強度的に強い。
【００１７】
請求項５の発明によれば、請求項１〜請求項３の発明の効果に加え、角錐形の枠体とした場合に較べて錐体ブロックの型を低コストに作成できる。
【発明を実施するための最良の形態】
【００１８】
以下、本発明の実施形態を図面に基づいて説明する。図１〜図１５は本発明の第１実施形態を示し、図１は雨水貯留構造体の概略側面図、図２は骨格構造体の要部斜視図、図３は骨格構造体の要部側面図、図４は錐体フルサイズブロックと錐体ハーフブロックの配列を説明する斜視図、図５は錐体フルサイズブロックの斜視図、図６は錐体フルサイズブロックの平面図、図７は錐体フルサイズブロックの底面図、図８は図６のＡ−Ａ線断面図、図９は錐体ハーフサイズブロックの斜視図、図１０は錐体ハーフサイズブロックの平面図、図１１は錐体ハーフサイズブロックの底面図、図１２は図１０のＢ−Ｂ線断面図、図１３は側板の斜視図、図１４は上板の斜視図、図１５は図１４のＣ−Ｃ線断面図である。
【００１９】
図１において、雨水貯留構造体１は、地盤ａ中に配設された骨格構造体２と、同じく地盤ａ中に配設された流入枡体３と、同じく地盤ａ中に配設された流出枡体４とを備えている。骨格構造体２と流入枡体３及び流出枡体４との間は、パイプ５，６を介してそれぞれ接続されている。又、流入枡体３はパイプ７を介して上流側に、流出枡体４はパイプ８を介して下流側にそれぞれ連通されている。
【００２０】
骨格構造体２は、図１〜図３に詳しく示すように、基礎構造部１０上に、複数の骨格ブロック１１，１２が水平方向に並設されたブロック層が複数段積層されることによって構成されている。骨格構造体２の四囲の側面には複数の側板１３が、骨格構造体２の上面には上板１４が配置されている。上板１４の上面には、シート（図示せず）が配置されている。シート（図示せず）は、浸透施設時には透水シートが、貯留施設時には、保護シート、遮水シート及び保護シートの３層のシート等が使用される。
【００２１】
錐体ブロック１１，１２としては、錐体フルサイズブロック１１の他に、補助錐体ブロックである錐体ハーフサイズブロック１２が使用されている。錐体フルサイズブロック１１は、図５〜図８に詳しく示すように、縦寸法及び横寸法が共にＬである四角形状の基板２０と、この基板２０の上面に等間隔を開けて立設された９個の錐形枠体２１と、基板２０の下面に等間隔を開けて設けられた９箇所の嵌合溝２２とから構成されている。錐形枠体２１は、角錐の枠体であり、頂部には円孔２３が形成されている。基板２０の嵌合溝２２の位置には円孔２３それぞれ開口されている。各錐形枠体２１の位置と各嵌合溝２２の位置は、水平方向の互いに直交する方向をＸ，Ｙ方向とすると、Ｘ，Ｙ方向に対して互いに１／２間隔だけオフセットした位置に設定されている。
【００２２】
錐体ハーフサイズブロック１２は、図９〜図１２に詳しく示すように、縦寸法がＬであるが、横寸法がＬ／２である。つまり、錐体フルサイズブロック１１に対して半分の幅寸法であり、錐体フルサイズブロック１１と略同様の構成を有するため、同一構成箇所には同一符号を付してその説明を省略する。
【００２３】
次に、骨格構造体２を構成する錐体フルサイズブロック１１と錐体ハーフサイズブロック１２の配列を説明する。図４に詳しく示すように、水平方向に並設された錐体ブロック１１，１２同士は、水平方向のＸ，Ｙ方向に対して互いの基板２０の端面が密接するように並設されている。そして、骨格構造体２は、全て錐体フルサイズブロック１１のみの層（図４のＮ層と（Ｎ＋２）層が該当する）と、錐体フルサイズブロック１１の両端に錐体ハーフサイズブロック１２が混在される層（図４の（Ｎ＋１）層と（Ｎ＋３）層が該当する）とが一層置きに積層されている。錐体フルサイズブロック１１に錐体ハーフサイズブロック１２が混在される層は、錐体ハーフサイズブロック１２の配列向きが錐体フルサイズブロック１１の向きと同じ層（図４の（Ｎ＋１）層が該当）と、錐体ハーフサイズブロック１２の配列向きが錐体フルサイズブロック１１の向きに９０度回転させた状態で配列する層（図４の（Ｎ＋３）層が該当）とが交互に配置されている。
【００２４】
そして、上下方向に隣接される錐体ブロック１１，１２同士は、下方の錐体ブロック１１，１２の錐形枠体２１の頂部が上方の錐体ブロック１１，１２の各嵌合溝２２に嵌合されている。
【００２５】
各側板１３は、図１３に示すように、平板の内面側に格子状の補強リブ１３ａが付設されている。
【００２６】
各上板１４は、図１４及び図１５に示すように、平板の上面側に格子状の補強リブ１４ａが付設されている。上板１４の底面側には、錐体フルサイズブロック１１の嵌合溝２４と同じ位置に嵌合溝１４ｂが形成されている。上板１４の各嵌合溝１４ｂの位置には円孔１４ｃがそれぞれ開口されている。
【００２７】
上記構成において、骨格構造体２に雨水が流れ込むと、雨水が複数の骨格構造体２の各錐体フルサイズブロック１１及び錐体ハーフサイズブロック１２内に形成されたスペースに貯留される。そして、複数の錐体フルサイズブロック１１及び錐体ハーフサイズブロック１２が水平方向及び垂直方向に組み付けられた構造体であるため、強度的に強いものとなる。又、複数の錐体フルサイズブロック１１及び錐体ハーフサイズブロック１２は互いの錐形枠体２１を積み重ねるようにして積層できるためコンパクトに積層できる。その上、錐体フルサイズブロック１１及び錐体ハーフサイズブロック１２を積層して骨格構造体２を施工するに際して、各層の錐体フルサイズブロック１１及び錐体ハーフサイズブロック１２は基本的に同じ方向で積層すれば良い。以上より、構造体としての強度が強く、運搬性、収納性等に優れ、しかも、施工作業性が良い。
【００２８】
この第１実施形態では、各錐形枠体２１の位置と各嵌合溝２２の位置は、互いに１／２間隔だけオフセットした位置に設定されたので、上下方向に隣接する各層の錐形枠体２１の位置がそれぞれオフセットした位置に配置されるため、構造体としての強度が更に向上する。
【００２９】
この第１実施形態では、錐体フルサイズブロック１１の他に、幅寸法の異なる錐体ハーフサイズブロック１２を有し、錐体フルサイズブロック１１の各層における水平方向の配列に錐体ハーフサイズブロック１２を選択的に使用して、上下方向に隣接する錐体フルサイズブロック１１同士の位置をオフセットさせたので、上下に隣接する層の各錐体フルサイズブロック１１の境界位置が相違するため、構造体としての強度が更に向上する。
【００３０】
この第１実施形態では、錐形枠体２１は、四角錐形の枠体であるので、円錐形の枠体とした場合に較べて強度的に強い。尚、第１実施形態では、錐形枠体２１が四角錐形の枠体であるが、角錐形の枠体であれば良く、五角錐形、六角錐形等であっても良い。
【００３１】
図１６〜図１８は本発明の第２実施形態を示し、図１６は骨格構造体の斜視図、図１７は錐体フルサイズブロックの斜視図、図１８は錐体ハーフサイズブロックの斜視図である。
【００３２】
図１６〜図１８において、この第２実施形態と前記第１実施形態を比較するに、錐体フルサイズブロック１１Ａと錐体ハーフサイズブロック１２Ａの錐形枠体２１Ａの形状が相違する。つまり、錐形枠体２１Ａは、円錐の枠体に形成されている。他の構成は、前記第１実施形態と同じであるため、説明を省略する。図面の同一構成箇所には同一符号を付して明確化を図る。
【００３３】
この第２実施形態においても、複数の錐体フルサイズブロック１１Ａ及び錐体ハーフサイズブロック１２Ａが水平方向及び垂直方向に組み付けられた構造体であるため、強度的に強いものとなる。又、複数の錐体フルサイズブロック１１Ａ及び錐体ハーフサイズブロック１２Ａは互いの錐形枠体２１Ａを積み重ねるようにして積層できるためコンパクトに積層できる。その上、錐体フルサイズブロック１１Ａ及び錐体ハーフサイズブロック１２Ａを積層して骨格構造体２を施工するに際して、各層の錐体フルサイズブロック１１Ａ及び錐体ハーフサイズブロック１２Ａは基本的に同じ方向で積層すれば良い。以上より、構造体としての強度が強く、運搬性、収納性等に優れ、しかも、施工作業性が良い。
【００３４】
この第２実施形態では、錐形枠体２１Ａは、円錐形の枠体であるので、角錐形の枠体とした場合に較べて錐体フルサイズブロック１１Ａ及び錐体ハーフサイズブロック１２Ａの成形型を低コストに作成できる。
【図面の簡単な説明】
【００３５】
【図１】本発明の第１実施形態を示し、雨水貯留構造体の概略側面図である。
【図２】本発明の第１実施形態を示し、骨格構造体の要部斜視図である。
【図３】本発明の第１実施形態を示し、骨格構造体の要部側面図である。
【図４】本発明の第１実施形態を示し、各層の錐体フルサイズブロックと錐体ハーフブロックの配列を説明する斜視図である。
【図５】本発明の第１実施形態を示し、錐体フルサイズブロックの斜視図である。
【図６】本発明の第１実施形態を示し、錐体フルサイズブロックの平面図である。
【図７】本発明の第１実施形態を示し、錐体フルサイズブロックの底面図である。
【図８】本発明の第１実施形態を示し、図６のＡ−Ａ線断面図である。
【図９】本発明の第１実施形態を示し、錐体ハーフサイズブロックの斜視図である。
【図１０】本発明の第１実施形態を示し、錐体ハーフサイズブロックの平面図である。
【図１１】本発明の第１実施形態を示し、錐体ハーフサイズブロックの底面図である。
【図１２】本発明の第１実施形態を示し、図１０のＢ−Ｂ線断面図である。
【図１３】本発明の第１実施形態を示し、側板の斜視図である。
【図１４】本発明の第１実施形態を示し、上板の斜視図である。
【図１５】本発明の第１実施形態を示し、図１４のＣ−Ｃ線断面図である。
【図１６】本発明の第２実施形態を示し、雨水貯留構造体の骨格構造体の要部斜視図である。
【図１７】本発明の第２実施形態を示し、錐体フルサイズブロックの斜視図である。
【図１８】本発明の第２実施形態を示し、錐体ハーフサイズブロックの斜視図である。
【図１９】従来例の雨水貯留構造体の概略側面図である。
【図２０】従来例の骨格構造体の要部分解斜視図である。
【符号の説明】
【００３６】
１  雨水貯留構造体
２  骨格構造体
１１，１１Ａ  錐体フルサイズブロック（錐体ブロック，骨格ブロック）
１２，１２Ａ  錐体ハーフサイズブロック（補助錐体ブロック，骨格ブロック）
２０  基板
２１  錐形枠体
２２  嵌合溝
【図１】
2007077574.tif 000003
【図２】
2007077574.tif 000004
【図３】
2007077574.tif 000005
【図４】
2007077574.tif 000006
【図５】
2007077574.tif 000007
【図６】
2007077574.tif 000008
【図７】
2007077574.tif 000009
【図８】
2007077574.tif 000010
【図９】
2007077574.tif 000011
【図１０】
2007077574.tif 000012
【図１１】
2007077574.tif 000013
【図１２】
2007077574.tif 000014
【図１３】
2007077574.tif 000015
【図１４】
2007077574.tif 000016
【図１５】
2007077574.tif 000017
【図１６】
2007077574.tif 000018
【図１７】
2007077574.tif 000019
【図１８】
2007077574.tif 000020
【図１９】
2007077574.tif 000021
【図２０】
2007077574.tif 000022